(57)【要約】【課題】適正に指針を表示することができる表示装置を提供することを目的とする。【解決手段】表示装置１は、画像を表示する表示部２と、表示部２を制御し、予め記憶部３１に記憶された画像であって指針が回動した際の回動範囲全体の残像を表す指針モーションブラー全体画像から、指針を回動させる際の単位時間当たりの回動範囲に応じた当該指針の残像を表す指針モーションブラー画像を表示させる制御部３を備えることを特徴とする。この結果、表示装置は、適正に指針を表示することができる、という効果を奏する。【選択図】図１
2018063202.tif 000002
【特許請求の範囲】
【請求項１】
画像を表示する表示部と、
前記表示部を制御し、予め記憶部に記憶された画像であって指針が回動した際の回動範囲全体の残像を表す指針モーションブラー全体画像から、指針を回動させる際の単位時間当たりの回動範囲に応じた当該指針の残像を表す指針モーションブラー画像を表示させる制御部を備えることを特徴とする、
表示装置。
【請求項２】
前記制御部は、前記表示部を制御し、前記指針モーションブラー画像の前記指針の回動方向の前側端部に、前記指針を表す指針画像を表示させる、
請求項１に記載の表示装置。
【請求項３】
前記制御部は、前記表示部を制御し、前記指針を回動させる際に想定される前記単位時間当たりの回動量が相対的に大きいほど、前記指針モーションブラー画像の回動中心とは反対側の先端部の前記回動方向に沿った長さ、及び、前記指針画像の回動中心とは反対側の先端部の前記回動方向に沿った長さを相対的に長くして当該指針モーションブラー画像、及び、当該指針画像を表示させる、
請求項２に記載の表示装置。
【発明の詳細な説明】
【技術分野】
【０００１】
本発明は、表示装置に関する。
【背景技術】
【０００２】
車両に適用される従来の表示装置として、例えば、特許文献１には、指針を表す指針画像、及び、指針画像の動きの軌跡を表す軌跡画像を表示可能な表示パネルと、複数のフレームの指針画像と軌跡画像とを、連続的に切り替えて表示可能なように表示パネルの表示状態を制御する制御手段とを備える表示装置が開示されている。  
【先行技術文献】
【特許文献】
【０００３】
【特許文献１】特開２００９−１０３４７３号公報
【発明の概要】
【発明が解決しようとする課題】
【０００４】
ところで、上述の特許文献１に記載の表示装置は、例えば、より適正な指針表示の点で更なる改善の余地がある。
【０００５】
本発明は、上記の事情に鑑みてなされたものであって、適正に指針を表示することができる表示装置を提供することを目的とする。
【課題を解決するための手段】
【０００６】
上記目的を達成するために、本発明に係る表示装置は、画像を表示する表示部と、前記表示部を制御し、予め記憶部に記憶された画像であって指針が回動した際の回動範囲全体の残像を表す指針モーションブラー全体画像から、指針を回動させる際の単位時間当たりの回動範囲に応じた当該指針の残像を表す指針モーションブラー画像を表示させる制御部を備えることを特徴とする。
【０００７】
また、上記表示装置では、前記制御部は、前記表示部を制御し、前記指針モーションブラー画像の前記指針の回動方向の前側端部に、前記指針を表す指針画像を表示させるものとすることができる。
【０００８】
また、上記表示装置では、前記制御部は、前記表示部を制御し、前記指針を回動させる際に想定される前記単位時間当たりの回動量が相対的に大きいほど、前記指針モーションブラー画像の回動中心とは反対側の先端部の前記回動方向に沿った長さ、及び、前記指針画像の回動中心とは反対側の先端部の前記回動方向に沿った長さを相対的に長くして当該指針モーションブラー画像、及び、当該指針画像を表示させるものとすることができる。
【発明の効果】
【０００９】
本発明に係る表示装置は、制御部が表示部を制御し、記憶部に記憶された指針モーションブラー全体画像から、指針を回動させる際の単位時間当たりの回動範囲に応じた当該指針の残像を表す指針モーションブラー画像を表示させるので、適正に指針を表示することができる、という効果を奏する。
【図面の簡単な説明】
【００１０】
【図１】図１は、実施形態１に係る表示装置の概略構成を示すブロック図である。
【図２】図２は、実施形態１に係る表示装置における指針画像の一例を示す模式図である。
【図３】図３は、実施形態１に係る表示装置における指針モーションブラー全体画像の一例を示す模式図である。
【図４】図４は、実施形態１に係る表示装置における指針モーションブラー画像の一例を示す模式図である。
【図５】図５は、実施形態１に係る表示装置における指針の表示例を連続的に示す模式図である。
【図６】図６は、実施形態１に係る表示装置における表示制御の一例を表すフローチャート図である。
【図７】図７は、実施形態２に係る表示装置における指針の表示例を連続的に示す模式図である。
【図８】図８は、変形例に係る表示装置における指針の表示例を連続的に示す模式図である。
【発明を実施するための形態】
【００１１】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１２】
［実施形態１］
図１に示す本実施形態に係る表示装置１は、例えば、車両に適用され、当該車両に適用される車載メータの一部を構成する。表示装置１は、車両のダッシュボードに設けられたインストルメントパネル等に搭載され、車両の運転に供される情報として当該車両に関する種々の車両情報を表示する。
【００１３】
具体的には、表示装置１は、図１に示すように、表示部２と、制御部３とを備える。
【００１４】
表示部２は、車両に搭載され、画像表示面２ａ上に画像を表示するものである。表示部２は、例えば、薄膜トランジスタ（ＴＦＴ：Ｔｈｉｎ  Ｆｉｌｍ  Ｔｒａｎｓｉｓｔｏｒ）を用いた液晶ディスプレイ（液晶パネル）を用いることができるが、これに限らず、プラズマディスプレイ、有機ＥＬディスプレイ等を用いることもできる。本実施形態の表示部２は、軸線Ｘを回動中心として回動する指針、及び、当該指針によって指し示される目盛等の指標部によって車両に関する種々の計測値を指し示す計器を表す計器画像２０を表示する。計器画像２０は、表示装置１が搭載される車両の車速を表示する速度計、走行用動力源の出力回転数を表示する回転計、燃料残量を表示する燃料計、冷却水の温度を表示する水温計等の種々の計器を表す画像であり、図１では、一例として回転計を表す画像を例示している。計器画像２０は、軸線Ｘを回動中心として回動する指針を表す指針画像２１、指針画像２１によって指し示される指標部を表す指標部画像２２等を含んで構成される。計器画像２０は、指針画像２１が表す指針によって指標部画像２２が表す指標部の所定の位置を指し示すことで車両に関する種々の計測値を表示する。この他、表示部２は、車両の車両情報に関する画像、例えば、車両の速度、積算走行距離、冷却水温、走行用動力源の出力回転数、燃料残量、バッテリ蓄電量、ナビゲーション情報、地図情報、交差点情報等、車両の運転に際して時々刻々と変化する様々な情報に関する画像、各種の警告灯（ウォーニングランプ、いわゆるテルテール）、シフトポジションインジケータ、方向指示記号等の車両情報に応じた種々の図柄、記号、文字列等の画像もあわせて表示してもよい。
【００１５】
制御部３は、表示部２を制御し当該表示部２による表示を制御するものである。典型的には、制御部３は、表示部２が表示する画像を制御する。制御部３は、例えば、車両の各部を統括的に制御するＥＣＵ（Ｅｌｅｃｔｒｏｎｉｃ  Ｃｏｎｔｒｏｌ  Ｕｎｉｔ）によって兼用されて構成されてもよいし、当該ＥＣＵとは別個に構成され、相互に検出信号や駆動信号、制御指令等の情報の授受を行う構成であってもよい。制御部３は、ＣＰＵ、ＲＯＭ、ＲＡＭ及びインターフェースを含む周知のマイクロコンピュータを主体とする電子回路を含んで構成される。制御部３は、車両の状態を検出する種々のセンサ、検出器類が電気的に接続され、検出結果に対応した電気信号が入力される。制御部３は、表示部２に電気的に接続され、当該表示部２に駆動信号を出力する。制御部３は、各種センサ、検出器類等から入力された各種入力信号等に基づいて、ＲＯＭ、ＲＡＭ等に格納されている制御プログラムを実行することにより、表示部２に駆動信号を出力し当該表示部２が表示する画像を制御するための種々の処理を実行する。
【００１６】
制御部３は、例えば、計器画像２０によって車両に関する計測値（ここでは、走行用動力源の出力回転数）を表示させる処理を実行可能である。制御部３は、一定のタイミングで画像のフレーム（動画のもとになる１コマ１コマの静止画像に相当）を順次更新することにより表示部２の画像表示面２ａ上に指針を回動表示する。本実施形態の制御部３は、図１、図２、図３、図４に示すように、計器画像２０によって車両に関する種々の計測値を表示させる際に、指標部画像２２を静止させた状態で表示する一方、指針モーションブラー全体画像２３（図３参照）に基づいて生成され、指針画像２１が表す指針の残像を表す指針モーションブラー画像２４（図４参照）を動的に表示させることで、より適正な指針表示の実現を図っている。制御部３は、単位時間ごとに設定された複数のフレームごとに指針モーションブラー全体画像２３に基づいて指針モーションブラー画像２４を生成し、表示部２を制御し、当該生成された複数のフレームの指針モーションブラー画像２４を連続的に切り替えて当該表示部２に表示させる処理を実行することで、画像表示面２ａ上に指針を回動表示させる。制御部３は、一例として、図１に示すように、機能概念的に、記憶部３１、画像生成部３２、及び、表示制御部３３を含んで構成される。記憶部３１、画像生成部３２、及び、表示制御部３３は、電気的に接続されている各種装置との間で種々の情報を授受することができる。
【００１７】
記憶部３１は、メモリ等の記憶装置であり、制御部３での各種処理に必要な条件やデータ、制御部３で実行する各種プログラム等が格納されている。記憶部３１は、表示部２で表示させる画像を表す画像データも記憶している。本実施形態の記憶部３１は、上述した計器画像２０を構成するデータとして、図１、図２に示す指針画像２１、図１に示す指標部画像２２、図３に示す指針モーションブラー全体画像２３等に関する画像データを記憶している。指針画像２１は、図１、図２に示すように、予め記憶部３１に記憶された画像であって、軸線Ｘを回動中心として回動表示される回動型の指針を表す画像である。図１、図２に示す指針画像２１は、静止状態で回動中心（軸線Ｘ）とは反対側の先端部２１ａ側が先細りとなった針状に形成された画像である。指標部画像２２は、図１に示すように、予め記憶部３１に記憶された画像であって、指針画像２１の先端部２１ａの回動軌跡に沿った円弧、当該円弧に沿って等間隔で付された複数の目盛、数字等を含んで構成される指標部を表す画像である。指針モーションブラー全体画像２３は、図３に示すように、予め記憶部３１に記憶された画像であって、指針画像２１が表す指針が回動した際の回動範囲全体の残像を表す画像であり、ここでは、３６０°分の回動角度（回動中心（軸線Ｘ）を基準とした角度）に相当する範囲で略正円状の画像として構成される。図３に示す指針モーションブラー全体画像２３は、指針画像２１が表す指針が回動した際の残像を簡略化して同心円状の残像として図示しているが、指針画像２１が表す指針の意匠にあわせて適宜設定されればよく、例えば、指針の意匠に応じたグラデーション等が付されていれてもよい。
【００１８】
画像生成部３２は、表示部２で表示する画像データである表示画像データを生成する部分である。画像生成部３２は、記憶部３１に格納されている画像データに基づいて、表示画像データを生成する。画像生成部３２は、記憶部３１から画像データを読み出し表示部２で最終的に表示する表示画像データを生成する。画像生成部３２は、例えば、所定の制御周期毎に、逐次、各フレームの表示画像データを生成していく。
【００１９】
表示制御部３３は、表示部２を制御し当該表示部２で表示させる画像を制御する部分である。本実施形態の表示制御部３３は、画像生成部３２によって生成された画像データに基づいて表示部２を制御し当該表示部２に指針に関する画像等を動的に表示させる。
【００２０】
本実施形態の画像生成部３２は、記憶部３１に記憶された指針モーションブラー全体画像２３から、図４に示すように、指針を回動させる際の単位時間当たりの回動範囲に応じた当該指針の残像を表す指針モーションブラー画像２４を生成する。そして、表示制御部３３は、画像生成部３２によって生成された指針モーションブラー画像２４を表示する。ここで、単位時間とは、予め設定される任意の時間であり、典型的には、制御周期に相当する時間である。つまり、画像生成部３２は、所定の制御周期（単位時間）ごとに設定された複数のフレームごとに、指針モーションブラー全体画像２３から、所定の制御周期（単位時間）当たりの回動範囲に応じた指針モーションブラー画像２４を逐次生成する。表示制御部３３は、表示部２を制御し、画像生成部３２によって生成された複数のフレームの指針モーションブラー画像２４を連続的に切り替えて当該表示部２に表示させる。
【００２１】
上記指針の単位時間当たりの回動範囲は、所定の制御周期毎の各フレームにおいて、指針が回動する範囲に相当し、想定される指針の回動速度が相対的に速くなるほど、すなわち、指針の単位時間当たりの回動量が相対的に大きくなるほど当該回動範囲が相対的に広くなる。そして、指針モーションブラー画像２４は、単位時間当たりの回動範囲に応じて、指針画像２１が表す指針の回動中心として想定される軸線Ｘを中心とした略扇形状の画像として生成される。さらに言えば、指針モーションブラー画像２４は、当該単位時間において想定される指針の回動速度が相対的に速くなるほど回動方向に沿った長さ（軸線Ｘ側とは反対側の円弧部分の長さ）が相対的に長い幅広な略扇形状の画像として生成される。
【００２２】
画像生成部３２は、例えば、計器画像２０で表示する計測値（ここでは、走行用動力源の出力回転数）であって、単位時間（制御周期）ごとに各種センサ、検出器類等によってサンプリングされＥＣＵ等の上位機器から入力された計測値に基づいて、当該単位時間のフレームにおける指針画像２１が表す指針の回動の始点位置、終点位置、単位時間当たりの回動量を算出し、これに基づいて定まる単位時間当たりの回動範囲に応じて指針モーションブラー全体画像２３から指針モーションブラー画像２４を生成する。画像生成部３２は、図４に示すように、各フレームごとに、記憶部３１に記憶された指針モーションブラー全体画像２３から単位時間当たりの回動範囲に応じた範囲を切り出すことで指針モーションブラー画像２４を生成する。そして、表示制御部３３は、表示部２を制御し、画像生成部３２によって切り出された各フレームごとの指針モーションブラー画像２４を連続的に切り替えて当該表示部２に表示させることで、各フレームに応じて指針モーションブラー全体画像２３のうち指針モーションブラー画像２４として表示する範囲を変動させて表示する。また、画像生成部３２は、記憶部３１に記憶された指針モーションブラー全体画像２３の上に計器画像２０の背景色（例えば黒色）のマスク画像を重畳させた画像を生成し、各フレームごとに、単位時間当たりの回動範囲に応じた範囲のマスク画像を削除とすることで指針モーションブラー画像２４を含む画像を生成してもよい。そして、表示制御部３３は、表示部２を制御し、画像生成部３２によって生成された各フレームごとの画像を連続的に切り替えて当該表示部２に表示させることで、各フレームに応じて指針モーションブラー全体画像２３からマスク画像の非表示範囲を介して指針モーションブラー画像２４を露出させる範囲を変動させて表示する。
【００２３】
本実施形態の画像生成部３２は、図１、図５に示すように、指針が静止しいている始点位置、及び、終点位置の状態では、記憶部３１に記憶されている画像データに基づいて表示画像データとして、指標部画像２２、及び、指針画像２１を生成する。表示制御部３３は、これに基づいて静止させた状態の指標部画像２２、指針画像２１を表示部２に表示させる。一方、画像生成部３２は、指針を始点位置から終点位置まで回動させる遷移状態では、指針画像２１を非表示とし、各フレームにおける表示画像データとして、指標部画像２２、及び、指針モーションブラー全体画像２３から単位時間当たりの回動範囲に応じた指針モーションブラー画像２４を生成する。表示制御部３３は、これに基づいて静止させた状態の指標部画像２２を表示部２に表示させると共に、複数のフレームに渡って指針モーションブラー画像２４を動的に表示部２に表示させる。つまりここでは、画像生成部３２、表示制御部３３は、指針を始点位置から終点位置まで回動させる遷移状態では、指針画像２１自体は表示せずに指針の残像を表す指針モーションブラー画像２４で当該指針の動きを表現する。図５の例では、始点位置は、指針を表す指針画像２１の先端部２１ａが図中向かって上側を向く位置であり、終点位置は、始点位置から軸線Ｘを回動中心として反時計回り（左回り）に１８０°回動し、指針を表す指針画像２１の先端部２１ａが図中向かって下側を向く位置である。そして、指針の単位時間当たりの回動量（つまり、回動速度）は、始点位置から徐々に大きくなり、指針が始点位置から終点位置に回動する過程の中間位置で最大となり終点位置に向かって徐々に小さくなるものとして想定する。これに応じて、指針モーションブラー画像２４は、回動方向に沿った長さ（軸線Ｘ側とは反対側の円弧部分の長さ）が始点位置から徐々に長くなり、指針が始点位置から終点位置に回動する過程の中間位置で最大となり終点位置に向かって徐々に短くなるように表示される。
【００２４】
次に、図６のフローチャートを参照して制御部３による表示部２の表示制御の一例を説明する。なお、これらの制御ルーチンは、数ｍｓないし数十ｍｓ毎の制御周期（クロック単位）で繰り返し実行され、言い換えれば、１フレームごとに繰り返し実行される。
【００２５】
まず、制御部３の画像生成部３２は、各種センサ、検出器類等によってサンプリングされＥＣＵ等の上位機器から入力された計測値に基づいて、当該単位時間のフレームにおける指針画像２１が表す指針の回動の始点位置、終点位置、単位時間当たりの回動量を算出し、これに応じて定まる指針の単位時間当たりの回動範囲を算出する（ステップＳＴ１）。
【００２６】
次に、画像生成部３２は、ステップＳＴ１で算出した指針の単位時間当たりの回動範囲が０か否かを判定する（ステップＳＴ２）。
【００２７】
画像生成部３２は、指針の単位時間当たりの回動範囲が０であると判定した場合（ステップＳＴ２：Ｙｅｓ）、すなわち、指針が静止しいている状態であると判定した場合、記憶部３１に記憶されている画像データに基づいて表示画像データとして、指標部画像２２、及び、指針画像２１を生成する。そして、制御部３の表示制御部３３は、前回の制御周期で表示した指針画像２１、又は、指針モーションブラー画像２４を削除し、画像生成部３２が生成した指標部画像２２、及び、指針画像２１に基づいて静止させた状態の指標部画像２２、指針画像２１を表示部２に表示させ（ステップＳＴ３）、現在の制御周期を終了し、次の制御周期に移行する。
【００２８】
画像生成部３２は、指針の単位時間当たりの回動範囲が０でないと判定した場合（ステップＳＴ２：Ｎｏ）、すなわち、指針を始点位置から終点位置まで回動させる遷移状態であると判定した場合、記憶部３１に記憶されている画像データに基づいて表示画像データとして、指標部画像２２、及び、指針モーションブラー全体画像２３から単位時間当たりの回動範囲に応じた指針モーションブラー画像２４を生成する。そして、表示制御部３３は、前回の制御周期で表示した指針画像２１、又は、指針モーションブラー画像２４を削除し、画像生成部３２が生成した指標部画像２２、及び、指針モーションブラー全体画像２３に基づいて静止させた状態の指標部画像２２を表示部２に表示させると共に、指針モーションブラー画像２４を表示部２に表示させ（ステップＳＴ４）、現在の制御周期を終了し、次の制御周期に移行する。
【００２９】
以上で説明した表示装置１は、制御部３が表示部２を制御し、記憶部３１に記憶された指針モーションブラー全体画像２３から、指針を回動させる際の単位時間当たりの回動範囲に応じた当該指針の残像を表す指針モーションブラー画像２４を表示させる。これにより、表示装置１は、例えば、指針の残像を表す画像を単位時間当たりの回動範囲に応じて逐一、生成するような場合と比較して、演算量を抑制しひいては演算負荷を抑制することができ、その上で、指針の動きをダイナミックにスピード感をもって表すことができる。この結果、表示装置１は、適正に指針を表示することができる。
【００３０】
さらに、以上で説明した表示装置１によれば、制御部３は、表示部２を制御し、指針を回動させる際に想定される単位時間当たりの回動量が相対的に大きいほど、指針モーションブラー画像２４の回動中心とは反対側の先端部の回動方向に沿った長さを相対的に長くして当該指針モーションブラー画像２４を表示させる。したがって、表示装置１は、指針モーションブラー画像２４によって指針の動きをよりダイナミックにスピード感をもって表すことができる。
【００３１】
［実施形態２］
実施形態２に係る表示装置は、指針画像の表示態様の点で実施形態１とは異なる。以下では、上述した実施形態と同様の構成要素には共通の符号が付されるとともに、共通する構成、作用、効果については、重複した説明はできるだけ省略する（以下、同様。）。
【００３２】
本実施形態の画像生成部３２は、図１、図７に示すように、指針が静止しいている始点位置、及び、終点位置の状態では、記憶部３１に記憶されている画像データに基づいて表示画像データとして、指標部画像２２、及び、指針画像２１を生成する。表示制御部３３は、これに基づいて静止させた状態の指標部画像２２、指針画像２１を表示部２に表示させる。一方、画像生成部３２は、指針を始点位置から終点位置まで回動させる遷移状態では、各フレームにおける表示画像データとして、上述した指標部画像２２、及び、指針モーションブラー画像２４に加え、指針を回動させる際に想定される単位時間当たりの回動量、すなわち、回動速度に応じて、静止状態の指針画像２１を変形させた指針画像２１Ａも生成する。つまりここでは、画像生成部３２、表示制御部３３は、指針を始点位置から終点位置まで回動させる遷移状態では、指針の残像を表す指針モーションブラー画像２４に加えて指針画像２１Ａ自体も表示させて当該指針の動きを表現する。この場合、画像生成部３２は、指針モーションブラー画像２４の指針の回動方向の前側端部に位置させて指針画像２１Ａを生成する。そして、画像生成部３２は、指針を回動させる際に想定される単位時間当たりの回動量が相対的に大きいほど、指針画像２１Ａの回動中心とは反対側の先端部の回動方向に沿った長さ（軸線Ｘ側とは反対側の円弧部分の長さ）を相対的に長くした略扇形状の画像として当該指針画像２１Ａを生成する。この場合、画像生成部３２は、例えば、図６で説明したステップＳＴ４の処理において、記憶部３１に記憶されている画像データに基づいて表示画像データとして、指標部画像２２、及び、指針モーションブラー全体画像２３から単位時間当たりの回動範囲に応じた指針モーションブラー画像２４、指針画像２１Ａを生成する。そして、表示制御部３３は、これに基づいて静止させた状態の指標部画像２２を表示部２に表示させると共に、複数のフレームに渡って指針モーションブラー画像２４、及び、指針画像２１Ａを動的に表示部２に表示させる。つまり、表示制御部３３は、表示部２を制御し、指針モーションブラー画像２４の指針の回動方向の前側端部に、指針を表す指針画像２１Ａを表示させる。このとき、表示制御部３３は、表示部２を制御し、指針を回動させる際に想定される単位時間当たりの回動量が相対的に大きいほど、指針画像２１Ａの回動中心とは反対側の先端部の回動方向に沿った長さを相対的に長くして当該指針画像２１Ａを表示させる。図７の例では、始点位置は、指針を表す指針画像２１の先端部２１ａが図中向かって上側を向く位置であり、終点位置は、始点位置から軸線Ｘを回動中心として反時計回り（左回り）に１８０°回動し、指針を表す指針画像２１の先端部２１ａが図中向かって下側を向く位置である。そして、指針の単位時間当たりの回動量（つまり、回動速度）は、始点位置から徐々に大きくなり、指針が始点位置から終点位置に回動する過程の中間位置で最大となり終点位置に向かって徐々に小さくなるものとして想定する。これに応じて、指針モーションブラー画像２４、及び、指針画像２１Ａは、回動方向に沿った長さ（軸線Ｘ側とは反対側の円弧部分の長さ）が始点位置から徐々に長���なり、指針が始点位置から終点位置に回動する過程の中間位置で最大となり終点位置に向かって徐々に短くなるように表示される。
【００３３】
以上で説明した表示装置１は、演算量を抑制しひいては演算負荷を抑制することができ、その上で、指針の動きをダイナミックにスピード感をもって表すことができるので、適正に指針を表示することができる。
【００３４】
そして、以上で説明した本実施形態の表示装置１は、指針を始点位置から終点位置まで回動させる遷移状態において、指針モーションブラー画像２４に加えて指針画像２１Ａ自体も表示させて当該指針の動きを表現するので、より実物感を向上させて指針の動きを表示することができる。
【００３５】
この場合、以上で説明した本実施形態の表示装置１によれば、制御部３は、表示部２を制御し、指針を回動させる際に想定される単位時間当たりの回動量が相対的に大きいほど、指針モーションブラー画像２４の回動中心とは反対側の先端部の回動方向に沿った長さ、及び、指針画像２１Ａの回動中心とは反対側の先端部の回動方向に沿った長さを相対的に長くして当該指針モーションブラー画像２４、及び、当該指針画像２１Ａを表示させる。したがって、表示装置１は、指針の動きをよりダイナミックにスピード感をもって表すことができる。
【００３６】
なお、上述した本発明の実施形態に係る表示装置は、上述した実施形態に限定されず、特許請求の範囲に記載された範囲で種々の変更が可能である。本実施形態に係る表示装置は、以上で説明した各実施形態、変形例の構成要素を適宜組み合わせることで構成してもよい。
【００３７】
以上で説明した記憶部３１は、制御部３の一部を構成するものとして説明したがこれに限らず、制御部３の外部に当該制御部３と別体に設けられた記憶装置として構成されてもよい。
【００３８】
以上で説明した実施形態２の画像生成部３２は、指針を始点位置から終点位置まで回動させる遷移状態では、指針モーションブラー画像２４に加え、指針を回動させる際に想定される単位時間当たりの回動量に応じて、静止状態の指針画像２１を変形させた指針画像２１Ａも生成するものとして説明したがこれに限らず単純に静止状態の指針画像２１を用いてもよい。つまり、実施形態２の表示制御部３３は、指針モーションブラー画像２４の指針の回動方向の前側端部に、静止状態の指針画像２１を表示させてもよい。
【００３９】
また、以上で説明した実施形態２の画像生成部３２は、指針を回動させる際に想定される単位時間当たりの回動量が相対的に大きいほど、指針画像２１Ａの回動中心とは反対側の先端部の回動方向に沿った長さ（軸線Ｘ側とは反対側の円弧部分の長さ）を相対的に長くした略扇形状の画像として当該指針画像２１Ａを生成するものとして説明したがこれに限らない。実施形態２の画像生成部３２は、例えば、図８に示すように、略扇形状の画像として生成される指針画像２１Ａにかえてやや扁平なしずく形状の指針画像２１Ｂを生成してもよい。この場合、画像生成部３２は、指針を回動させる際に想定される単位時間当たりの回動量が相対的に大きいほど、指針画像２１Ａの回動中心とは反対側の先端部の回動方向に沿った長さ（軸線Ｘ側とは反対側の円弧部分の長さ）を相対的に長くしたしずく形状の画像として当該指針画像２１Ｂを生成する。そして、表示制御部３３は、これに基づいて静止させた状態の指標部画像２２を表示部２に表示させると共に、複数のフレームに渡って指針モーションブラー画像２４、及び、指針画像２１Ｂを動的に表示部２に表示させる。この場合であっても、表示装置１は、指針の動きをよりダイナミックにスピード感をもって表すことができる。
【００４０】
また、以上で説明した表示装置１は、車両に適用されるものとして説明したがこれに限らず、車両以外のものに適用されてもよい。
【符号の説明】
【００４１】
１    表示装置
２    表示部
３    制御部
２１、２１Ａ、２１Ｂ    指針画像
２３    指針モーションブラー全体画像
２４    指針モーションブラー画像
３１    記憶部
【図１】
2018063202.tif 000003
【図２】
2018063202.tif 000004
【図３】
2018063202.tif 000005
【図４】
2018063202.tif 000006
【図５】
2018063202.tif 000007
【図６】
2018063202.tif 000008
【図７】
2018063202.tif 000009
【図８】
2018063202.tif 000010